【手続補正書】
【提出日】平成20年2月4日(2008.2.4)
【手続補正１】
【補正対象書類名】特許請求の範囲
【補正対象項目名】全文
【補正方法】変更
【補正の内容】
【特許請求の範囲】
【請求項１】
試料アレイの接触パッドと電気的に接続するように形成されたコネクターインターフェイスと；
コネクターインターフェイスに結合され、またコネクターインターフェイスの接続部に電位をかけることにより試料アレイの作用電極に選択的に電位をかけるように形成された多重交換装置と；および
一部分電位に基づいた試料アレイ中の試料の特性を電気化学的に検出するように形成された分析計と；
からなる電気化学的検出システム。
【請求項２】
前記多重交換装置が、さらに、前記試料アレイ中の対電極に前記コネクターインターフェイスを介して反対の電位を選択的にかけるように形成される請求項１記載の電気化学的検出システム。
【請求項３】
前記コネクターインターフェイスの第１接続部が、前記試料アレイ中の複数の作用電極に電気的に結合する請求項１記載の電気化学的検出システム。
【請求項４】
前記コネクターインターフェイスの第２接続部が、前記試料アレイ中の単一の対電極に電気的に結合する請求項３記載の電気化学的検出システム。
【請求項５】
前記分析計が、前記試料のハイブリダイゼーションを検出するように形成される請求項１記載の電気化学的検出システム。
【請求項６】
前記分析計が、電量分析法に基づいて特性を検出するように形成される請求項１記載の電気化学的検出システム。
【請求項７】
前記分析計が、電流滴定法に基づいて特性を検出するように形成される請求項１記載の電気化学的検出システム。
【請求項８】
さらに、試薬を前記試料アレイの少なくとも１つのウエルに供給するために形成される流体調剤器を含む請求項１記載の電気化学的検出システム。
【請求項９】
選択的に、第１電位を作用電極にかけ、第２電位を対電極にかけるように形成された多重交換装置；および
該多重交換装置に結合し、一部分第１電位と第２電位に基づいた探触子ハイブリダイゼーションを電気化学的に検出するように形成された分析計
からなる電気化学的検出システム。
【請求項１０】
電気化学的検出システム用試料アレイであって、
第１試料ウエル；
第２試料ウエル；
該第１および第２試料ウエルに結合させた基材；
該第１試料ウエルの基材に置かれた複数の作用電極からなる第１電極セット；および
該第２試料ウエルに置かれた複数の作用電極からなる第２電極セットであり、該第２電極セットは、第２試料ウエルに置かれた複数の該作用電極の少なくとも１つが第１試料ウエルの対応する作用電極に結合している第２電極セット
からなる試料アレイ。
【請求項１１】
前記第１電極セットの作用電極に結合した複数のポリマー探触子をさらに含む請求項１０記載の試料アレイ。
【請求項１２】
電気化学的検出システム用試料アレイであって、
複数の試料ウエル；
該複数の試料ウエルに結合させた基材；
該複数の試料ウエルのそれぞれに置かれた少なくとも２つの作用電極を有する、基材の第１側面におかれた複数の作用電極；および
該基材上に置かれ、該複数の作用電極に対して多重型とされる複数の接触パッド
からなる試料アレイ。
【請求項１３】
前記複数の試料ウエルのそれぞれに置かれた少なくとも１つの対電極を有する、基材の第１側面におかれた複数の対電極をさらに含む、請求項１２記載の試料アレイ。
【請求項１４】
ハイブリダイゼーションを検出する方法であって、
各試料ウエルが、複数の作用電極と１つの対電極に結合する複数の探触子からなる複数の試料ウエルに１つの試料を導入し；
第１電位を、少なくとも２つの作用電極に対して多重型とされた第１接触パッドにかけ；
第２電位を、少なくとも１つの対電極に結合した第２接触パッドにかけ；そして
該複数の探触子の少なくとも１つに対する試料のハイブリダイゼーションを電気化学的に検出すること
からなるハイブリダイゼーションの検出方法。
【請求項１５】
複数の開口底のウエルからなる上部プレート；
基材上のゾーンが上部プレートのウエルの下部開口を閉じるように該開口と合致させ得るように、該上部プレートのウエルに合致するように適応させたゾーンを有する基材；および
該ゾーンの基材上の作用電極であり、該電極に付着したポリマー探触子を有するように適応させた複数の作用電極
からなる測定を実施するためのキット。
【請求項１６】
さらに、前記上部プレートに前記基材を取り付けるためのファスナーを含む請求項１５記載の測定実施用キット。
【請求項１７】
前記ファスナーが接着剤である請求項１５記載の測定実施用キット。
【請求項１８】
前記ファスナーが前記基材および前記上部プレートを一緒に圧縮するための圧縮機構である請求項１５記載の測定実施用キット。
【請求項１９】
さらに、前記ゾーンが少なくとも１つの対電極を有する請求項１５記載の測定実施用キット。
【請求項２０】
ポリマー探触子を、基材の表面上のゾーンに置かれた電極に付着させ；次いで
該基材を、開口底ウエルを有する上部プレートに付着させて、該上部プレートが該ウエルの側面を定め、該基材が該ウエルの底を定め、該電極が該ウエルに加えられた液体に接近可能なように該電極を含むゾーンが配置されるマルチウエルプレートを形成すること
からなる測定装置を組み立てるための方法。
【手続補正２】
【補正対象書類名】明細書
【補正対象項目名】発明の名称
【補正方法】変更
【補正の内容】
【発明の名称】電気化学的検出システム、試料アレイ、ハイブリダイゼーションの検出方法、測定実施用キットおよび測定装置の組立方法
【手続補正３】
【補正対象書類名】明細書
【補正対象項目名】００２０
【補正方法】変更
【補正の内容】
【００２０】
電極は典型的には電気伝導性であり、金、炭素、白金、パラジウムまたは他の電気伝導性電極であってよい。一部またはすべての電極は、同じプロセスを使用して同じ材料を用いて製造することができる。もしくは、電極は、異なった材料で製造されることができ、また異なったプロセスを使用して製造することができる。炭素電極の製作のために適する一方法は、代理人整理番号ＧＥＮＯＭ．０３９ＰＲと同時提出の“CARBON ELECTRODE SURFACE FOR COVALENT ATTACHMENT OF DNA AND PROTEIN MOLECULES”と題される米国仮特許出願第６０／５３０，０６５にさらに詳細に記載され、ここでは、参照により全て取り入れられる。
【手続補正４】
【補正対象書類名】明細書
【補正対象項目名】００２３
【補正方法】変更
【補正の内容】
【００２３】
図１Ｂは試料アレイ１０の下面図である。図１Ｂにおいて、基材２０はウエルプレート１２の底に結合される。接触パッド（例えば２２）を有するコネクターインターフェイスが基材２０の露出表面に見られる。コネクターインターフェイスの接触パッド（例えば２２）は基材２０の一部において凝集させることができ、または基材２０の底表面を横切って分布させてよい。
【手続補正５】
【補正対象書類名】明細書
【補正対象項目名】００２４
【補正方法】変更
【補正の内容】
【００２４】
図２Ａは、電極配置実施形態の機能図である。電極配置は、図１Ａ〜１Ｂの基材２０で実行することができる。電極の第１セット２１０ａは、第１試料ウエル内の基材２０上のゾーン２４に配置することができる。同様に、電極の第２セット２１０ｂは第２試料ウエルと一直線に並ぶ第２ゾーン内の基材上に置くことができる。付加的な電極セット（図示せず）は、それらセットが他の試料ウエルに属するように基材上に置くことができる。１つの実施形態において、第１電極セット２１０ａの一部またはすべての電極は炭素電極である。同様に、第２電極セット２１０ｂの一部またはすべての電極および付加的な電極セットは炭素電極であってよい。もしくは、１つ以上の電極セットの一部またはすべての電極は金または他の材料であってよい。
【手続補正６】
【補正対象書類名】明細書
【補正対象項目名】００６１
【補正方法】変更
【補正の内容】
【００６１】
例えば、プロセッサー５５０は、電位供給源５２０、多重交換装置５３０および電気化学的分析計５４０の操作を制御するために、メモリ５６０に貯えられプロセッサーが解読可能な指示に従って作動することができる。プロセッサー５５０は、プロセッサーが読解可能な指示に応じ、特定の試料ウエルに対応する一対の特定の作用電極と対電極を選択するように、多重交換装置に対して指示することができる。次に、プロセッサー５５０は、選択された作用電極と試料電極に電位を印加するために、電位供給源を制御することができる。
【手続補正７】
【補正対象書類名】明細書
【補正対象項目名】００６２
【補正方法】変更
【補正の内容】
【００６２】
次に、プロセッサー５５０は、電気化学的分析計５４０に対して、選択された試料ウエル上で検出を行うように指示することができる。電気化学的分析計は、例えば、捕捉されたポリマー探触子に対して、一部分電量分析法か電流滴定法に基づき、ハイブリダイゼーションを検出することができる。プロセッサー５５０は電気化学的分析計からの結果を読み取って、その結果を後のアクセスのためにメモリ５６０に保存することができる。次に、プロセッサーは、多重交換装置５３０に対して、同一または異なる試料ウエル中から別の対となる電極を選び、そしてすべての所望の試料ウエルおよび対となる探触子の試験が完了するまで分析を繰り返すように指示することができる。